(57)【要約】  【課題】  パネル型機器への散水後回収される水のうち、少なくとも一部分を散水パイプへ送り返して散水に再利用する水の循環流路を設け、その水の循環により冷却効果及び融雪効果をより向上させるパネル型機器用散水システムを提供することを目的とする。  【解決手段】  駆動水が水中ポンプ１４により地下タンク１０から駆動水管１３を通じてエジェクタ５へと圧送され、この圧送により集水樋６内の水が送水管４の吸入管部４ａを通じてエジェクタ５へ吸入されて駆動水と混合され、この混合水がエジェクタ５から送水管４の吐出管部４ｂを通じて散水パイプ３へ供給され、複数の噴射ノズル３Ａから太陽光パネル２の表面２Ａに散水されてそこを流下して集水樋６により回収され、エジェクタ５及び送水管４を介して散水パイプ３へ再び送水されることで、散水用の水の循環流路１２が形成される。【選択図】        図１
2011214362.tif 000002
【特許請求の範囲】
【請求項１】
屋根上に傾斜設置されるパネル面を有したパネル型機器に対して散水を行うパネル型機器用散水システムにおいて、
そのパネル型機器の傾斜方向下端側に配設され、そのパネル型機器のパネル面を流下した水を受容して回収する集水部材と、
そのパネル型機器のパネル面に散水する散水孔を有した散水パイプと、
その散水パイプに供給される水を水源から屋根上へ向けて圧送する圧送装置と、
その圧送装置を介して水源から前記散水パイプへ水を供給する流路の一部を成し、その圧送装置により圧送される水が通過することにより、前記集水部材から水を吸入するとともにその集水部材から吸入した水と前記圧送装置により圧送される水とを混合して前記散水パイプへ向けて吐出する循環流生成器と、
その循環流生成器を介して、その循環流生成器から前記散水パイプ、パネル型機器のパネル面、前記集水部材の順に水が循環して流れるように屋根上に形成される循環流路とを備えていることを特徴とするパネル型機器用散水システム。
【請求項２】
請求項１記載のパネル型機器用散水システムにおいて、
前記循環流路の一部を成す前記集水部材からの余剰水を水源へ送り返す返水流路を備えており、
その水源は屋根より低い場所に設置される貯水槽であることを特徴とするパネル型機器用散水システム。
【発明の詳細な説明】
【技術分野】
【０００１】
本発明は、屋外設置される各種のパネル型機器の冷却及びそのパネル面の積雪を除去するため、当該パネル型機器の表面に散水を行うパネル型機器用散水システムに関するものである。
【背景技術】
【０００２】
近年、太陽光発電パネルや太陽熱温水パネルなどの各種のパネル型機器が普及しているが、これらの多くは屋外に設置されることから、その設置場所の気象条件が稼働状況に大きな影響を与える。例えば、太陽光発電パネルには、夏季の晴天時に太陽光を受光することによりパネル面の温度が８０℃以上にまで上昇し、これにより発電量が約８０％まで低下するものがある。このため、発電効率の改善に冷却が必要となることがある。
【０００３】
また、太陽光発電パネルは、そのパネル面に照射される太陽光より発電するものであるが、当該パネル面が外気（空気）中の塵埃等の付着により汚れたり又は積雪により覆われると、発電素子による太陽光の受光率低下や受光不能を招来することがある。このため、パネル面から汚れや積雪を適宜除去する必要もある。
【０００４】
ここで、パネル型機器の冷却、融雪又は洗浄には、一般的にパネル表面への散水が用いられており、下記する特許文献１（特開２００３−５６１３５公報参照。）にも、屋外設置されるパネル型機器の冷却又は積雪若しくは汚れの除去をする散水装置が記載されている。
【０００５】
ところで、屋根上に設置されるパネル型機器は、夏季の晴天時において、強烈な日差しにより加熱されたパネル面が、上記した通りかなりの高温となる一方、冬季の積雪地域にあっては、そのパネル面の積雪が優に１０ｃｍを超える。このため、パネル型機器に対する散水運転に必要となる散水量も大量に必要となることが予想される。
【０００６】
しかし、このようなパネル型機器の導入目的は環境資源（各種のエネルギー資源を含む。）の有効活用にあり、その大前提として運転コストを含めた維持管理費の削減が必要であるところ、散水用の水の供給源として水道水を大量使用したのでは、パネル型機器の導入目的にそもそも反するとともに、散水に要する水道料が運転コストを増加させる要因となる。
【０００７】
また、散水用の水の供給源として地下水を使用することも考えらるが、パネル型機器の普及率が更に向上すれば、地下水の使用量も大量となることが危惧され、その結果、地下水位低下、地盤沈下その他の環境問題が別途発生することも考えられる。このため、地下水は、散水用の水の供給源としては、必ずしも適切であるとはいえない。
【０００８】
何よりも、地下水の無制限な使用は、上記した地下水位低下や地下水枯渇という環境破壊を誘発する原因となる恐れがあることから、各種パネル型機器の導入理由の一つである環境保全に反するものと考えられる。
【０００９】
そこで、パネル型機器に関する散水装置については、特許文献１に既に掲載されるように、地下に設置される貯水槽に雨水を予め貯留しておき、この貯留水を散水用の水源として使用するものが提案されている。
【００１０】
この特許文献１に記載の雨水利用システムは、雨水が軒樋により回収されて貯水槽に貯留され、必要に応じて、その貯留した雨水を供給ポンプにより散水パイプへ送り、散水パイプから太陽光発電パネルの表面に雨水を散水することにより、太陽光発電パネルの冷却を行うとともに積雪を防ぐものであり、散水された水が軒樋により回収されて再び貯水槽へ戻される。
【先行技術文献】
【特許文献】
【００１１】
【特許文献１】特開２００３−５６１３５号公報
【発明の概要】
【発明が解決しようとする課題】
【００１２】
しかしながら、上記した特許文献１に記載の雨水利用システムでは、太陽光発電パネルに散水された水を全てを雨樋により回収して地下の貯水槽へ返送するため、かかる貯水槽から屋根上まで供給ポンプにより散水用の水を大量に再送水（揚水）しなければならないという問題点がある。
【００１３】
このため、貯水槽から屋根上まで水を送水するパイプを建物の外壁面に設置する場合には、送水用のパイプは自ずと大径化することから、かかる大径状の送水用パイプを建物の外壁面に配管することで建物の美観が損なわれてしまう問題点があった。
【００１４】
特に、建物の外観は、建物の価値を決定する要素として重要であり、かつ、所有者（使用者を含む。以下同じ。）の思い入れが比較的強く反映される部分でもあるため、これを損なう付属物を設置することは、所有者に受け入れられ難いという問題点がある。
【００１５】
そこで、本願発明は、上記した課題を解決するため、水源から圧送装置により屋根上まで水を揚水するための流路を建物の外壁面に設ける場合であっても、そのような流路を小型化することができ、それにより建物の外的美観に与える悪影響を最小限に抑えることができるパネル型機器用散水システムを提供することを目的としている。
【課題を解決するための手段】
【００１６】
この目的を達成するために請求項１のパネル型機器用散水システムは、屋根上に傾斜設置されるパネル面を有したパネル型機器に対して散水を行うものであり、そのパネル型機器の傾斜方向下端側に配設され、そのパネル型機器のパネル面を流下した水を受容して回収する集水部材と、そのパネル型機器のパネル面に散水する散水孔を有した散水パイプと、その散水パイプに供給される水を水源から屋根上へ向けて圧送する圧送装置と、その圧送装置を介して水源から前記散水パイプへ水を供給する流路の一部を成し、その圧送装置により圧送される水が通過することにより、前記集水部材から水を吸入するとともにその集水部材から吸入した水と前記圧送装置により圧送される水とを混合して前記散水パイプへ向けて吐出する循環流生成器と、その循環流生成器を介して、その循環流生成器から前記散水パイプ、パネル型機器のパネル面、前記集水部材の順に水が循環して流れるように屋根上に形成される循環流路とを備えている。
【００１７】
この請求項１のパネル型機器用散水システムによれば、散水運転を行う場合、水は、水源から循環流生成器へと圧送装置により圧送供給される。この循環流生成器に圧送された水が循環流生成器を通過することにより、集水部材から水が循環流生成器内へ吸入され、この吸入された水が圧送装置から圧送されてくる水と混合されて散水パイプへ向けて吐出される。そして、この循環流生成器から吐出された水が、散水パイプにある複数の散水孔からパネル型機器のパネル面に散水される。
【００１８】
パネル面に散水された水は、パネル面を傾斜方向に沿って下端側へ向けて流下し、集水部材へと流れ込み回収される。そして、集水部材に回収された水は、再び、循環流生成器により吸入されて散水パイプへ送水される。これにより、パネル型機器のパネル面に散水された水が、集水部材により回収されて散水パイプへ還流されるという水の循環流路が形成されるのである。
【００１９】
ここで、散水運転がパネル型機器を冷却するものである場合、パネル型機器は、散水パイプから散水される続ける水の気化熱により、そのパネル面が冷却されて温度低下させられる。一方、散水運転がパネル型機器の積雪を融雪するものである場合、パネル型機器のパネル面にある積雪は、散水パイプによりパネル面に散水され続ける水の融解熱により融解されて水（融雪水）となる。
【００２０】
また、循環流路は屋根上に形成されるので、この循環流路を流れる水の高低差を、屋根の棟から軒までの高低差以下に抑えることができ、結果、循環流路を流れる水の高低差は地上から屋根上まで揚水する際の高低差に比べて大幅に縮小される。このため、集水部材から散水パイプまでの揚水を、水源からの水を圧送する圧送装置とは別の圧送装置などの動力源を用いずとも、圧送装置により水源から圧送されてくる水の流れを用いた循環流生成器を利用するだけで十分に行える。
【００２１】
ところで、特許文献１に記載するように、パネル型機器の冷却により温度上昇した水を地下の貯水槽へ全て送り返すことを続ければ、屋根上から回収された温水が貯水槽内の貯留水全体の温度を上昇させてしまい、貯水槽内の貯留水による冷却効果（冷却能力）が低下することも考えられる。例えば、夏季の晴天時の昼間に一定時間おきに散水運転を長時間又は何度も繰り返せば、その度ごとに貯水槽内の水温が上昇して行き、散水運転を重ねる度に散水運転による冷却効果が低下する虞もある。
【００２２】
一方、パネル型機器のパネル面にある積雪を散水により融雪する場合に、特許文献１に記載するように、融雪水及び融雪により融解熱が奪われた散水後の水を地下の貯水槽へ全て送り返えせば、かかる冷水が貯水槽内の貯留水全体の温度を低下させてしまい、貯水槽内の貯留水による融雪効果（融雪能力）が低下することも考えられる。そこで、これらの点を考慮して、請求項２のパネル型機器用散水システムついては、以下のように構成されている。
【００２３】
請求項２のパネル型機器用散水システムは、請求項１のパネル型機器用散水システムにおいて、前記循環流路の一部を成す前記集水部材からの余剰水を水源へ送り返す返水流路を備えており、その水源は屋根より低い場所に設置される貯水槽である。
【００２４】
この請求項２のパネル型機器用散水システムによれば、請求項１のものと同様に作用する上、集水部材からの余剰水は、返水流路により貯水槽へと送り返され、その貯水槽内にある水に混ざり込む。この結果、集水部材からの余剰水は、貯水槽に貯留される水の一部となって、圧送装置により循環流生成器を経て散水パイプへと再び圧送され、散水パイプからパネル面へ散水として再利用される。
【００２５】
しかも、このようにパネル面を流下した水は、その全てが貯水槽へ送り返される訳ではなく、その一部が集水部材に回収されて循環流路を循環し、その残部が返水流路を経て貯水槽へ送り返されるので、全ての水が貯水槽へ送り返される場合に比べて、貯水槽へ送り返される単位時間当たりの水量を低減できる。このため、貯水槽に送り返された水の温度で貯水槽内の水温が変動を来すような場合にあっては、その様な変動を抑制でき、かかる貯水槽内の水温変動に伴う冷却効率又は融雪効率の低下を防止できる。
【００２６】
以下、本発明の変形例を示す。第１変形例のパネル型機器用散水システムは、請求項１又は２のパネル型機器用散水システムにおいて、前記返水流路は、前記集水部材からの余剰水を受容して回収する第２集水部材と、その第２集水部材に一端が連結されて水源に他端が連結される水回収路とを備えており、前記第２集水部材は、屋根の軒に配設される軒樋を備えており、前記水回収路はその一部として、軒樋に一端が連結される縦樋が設けられているものである。
【００２７】
この第１変形例のパネル型機器用散水システムによれば、請求項１又は２のものと同様の作用及び効果に加えて、建物の軒樋及び縦樋が第２集水部材及び水回収路の一部として兼用されるので、第２集水部材及び水回収路の一部を建物に別途設ける必要がなく、建物の設備を活用することで建物の外観の変更が最小限に抑えられる。
【００２８】
第２変形例のパネル型機器用散水システムは、請求項１若しくは２又は第１変形例のいずれかのパネル型機器用散水システムにおいて、前記循環流生成器へ前記集水部材から吸入される水の水量は、その循環流生成器へ前記圧送装置により圧入される水の水量を超えるものである。
【００２９】
この第２変形例のパネル型機器用散水システムによれば、請求項１若しくは２又は第１変形例のいずれかのものと同様の作用及び効果に加え、集水部材から循環流生成器へ吸入される水の水量は、循環流生成器へ圧送装置により圧入される水の水量を超えることから、圧送装置による揚水量を、従来タイプのものに比べて１／２以下（但し「０」ではない。）まで低減できる。
【００３０】
また、見方を変えれば、散水パイプに供給される水量を、圧送装置による水の供給量の２倍以上とすることができるので、水源から循環流生成器へ至る水の流路の断面積を従来サイズのものに比べて半分以下にすることもでき、かかる流路を小型化できる。
【００３１】
第３変形例のパネル型機器用散水システムは、請求項２、又は、請求項２を引用する第１若しくは第２変形例のいずれかのパネル型機器用散水システムにおいて、前記循環流生成器へ前記集水部材から吸入される水の水量は、前記返水流路により水源に送り返される余剰水の水量を超えるものである。
【００３２】
この第３変形例のパネル型機器用散水システムによれば、請求項２、又は、請求項２を引用する第１若しくは第２変形例のいずれかのものと同様の作用及び効果に加え、集水部材から循環流生成器へ吸入される水の水量は、返水流路により水源に送り返される余剰水の水量を超えるので、水源に送り返される水量を、従来タイプのもの比べて１／２以下（但し「０」ではない。）まで低減でき、その分、貯水槽内の水温変動が抑制される。
【００３３】
第４変形例のパネル型機器用散水システムは、請求項１若しくは２又は第１から第３変形例のいずれかにパネル型機器用散水システムにおいて、前記循環流生成器は、前記圧送装置により圧送される水流が通過することによりその流速を上昇させる増速部と、その増速部から流出した水流が通過することにより圧力が低下される混合部と、その混合部の圧力低下により当該混合部内へ前記集水部材から水を吸入する吸入部と、その吸入部及び増速部からそれぞれ流入して前記混合部にて混合された水流を通過させることにより圧力を上昇させて前記散水パイプへ向けて吐出する吐出部とを備えている。
【００３４】
この第４変形例のパネル型機器用散水システムによれば、請求項１若しくは２又は第１から第３変形例のいずれかのものと同様の作用及び効果に加え、水源から圧送装置により循環流生成器へ圧送されてくる水流は、その増速部を通過することで流速が上昇され、混合部へ流出することで当該混合部の圧力低下を生じさせ、この圧力低下により吸入部を介して集水部材から水を混合部内へ吸入させ、この吸入された水と混合部内で混合される。そして、この混合部で混合された水流は、吐出部を通過することで再び圧力が上昇されて散水パイプへ向けて吐出される。このようにして循環流生成器から吐出された水流は、散水パイプにある複数の散水孔からパネル型機器のパネル面に散水される。
【発明の効果】
【００３５】
本発明のパネル型機器用散水システムによれば、散水対象となるパネル面自体を一部に含んだ循環流路を、循環流生成器を介して屋根上に創り出し、この循環流路により循環される水を利用してパネル面に対して繰り返し散水できることから、圧送装置により水源から圧送される水の水量を抑制でき、その分、圧送装置により屋根上へ水を圧送する流路を小サイズ化でき、建物の美観を損ねない流路レイアウトがより容易に実現でき、本散水システムの利用者における導入を促す大きな要因となるという効果がある。
【００３６】
また、水源から圧送装置により屋根上まで供給される水量を低減できるので、水源から水の供給量を抑制できるという効果もある。このため、例えば、水源として水道水や地下水を利用する場合には、その利用量の抑制が図られることにより環境保全にも貢献でき、また、水源として地上や地下に貯水槽を設置して用いるような場合にあっても、その貯水容量を比較的小規模なものとでき、貯水槽の設置に伴う労力及びコストの低減が図られ、狭い敷地であっても貯水槽の設置スペースを確保できるという効果がある。
【図面の簡単な説明】
【００３７】
【図１】本発明のパネル型機器用散水システムの一実施形態であるパネル散水システムの構成図である。
【図２】太陽光パネルが設置される建物の屋根上の概略斜視図である。
【図３】エジェクタの内部構造を示した概略図である。
【図４】パネル散水システムの電気的構成を示したブロック図である。
【発明を実施するための形態】
【００３８】
以下、本発明の好ましい実施の形態について、添付図面を参照して説明する。図１は、本発明のパネル型機器用散水システムの一実施形態であるパネル散水システム１の構成図であり、図２は、太陽光パネル２が設置される建物７０の屋根７１上の概略斜視図である。パネル散水システム１は、太陽光発電用や太陽熱温水用などの建物７０の屋根７１上に屋外設置されるパネル型機器に対して冷却用又は融雪用の水を散布するためのシステムである。
【００３９】
なお、本実施形態における太陽光パネル２は、建物７０の屋根７１に内蔵される一体型のものであっても、建物７０の屋根７１上に別途後付け固定設置される別体型のものであっても良い。
【００４０】
図１及び図２に示すように、本実施形態のパネル散水システム１は、建物７０の屋根７１上に屋外設置される太陽光発電パネル（以下単に「太陽光パネル」という。）２に対して水を散布（以下単に「散水」という。）するための装置である。太陽光パネル２は、建物７０の切妻状の屋根７１における一方の傾斜面に設置されており、その屋根７１の勾配と同等又はそれ以上の勾配を持った斜面状の表面（本発明のパネル面に相当する。以下同じ。）２Ａを有している。この太陽光パネル２は、その表面２Ａから吸熱しかつ放熱する性質を有している。
【００４１】
図２に示すように、散水パイプ３は、太陽光パネル２の表面２Ａに散水するためのパイプ（管路）であり、太陽光パネル２の傾斜方向上端部の縁辺に沿って、その太陽光パネル２の幅方向（屋根７１の棟方向と同一方向）に連続して形成されている。この散水パイプ３の基端部には送水管４の吐出管部４ｂを介してエジェクタ５の吐出口５Ｂが接続されており、散水パイプ３の先端部については閉塞されている。
【００４２】
この散水パイプ３の外周部には、当該散水パイプ３の連続方向基端部から先端部にかけて所定の間隔で複数の噴射ノズル３Ａが設けられている。複数の噴射ノズル３Ａは、水を散水する散水孔を有しており、エジェクタ５によって散水パイプ３へ圧送供給された水を、その散水孔から太陽光パネル２の表面２Ａへ向けて扇状に拡散させた状態で散水するものである。
【００４３】
このように噴射ノズル３Ａは、散水孔から扇状に拡散させて水を放出するので、太陽光パネル２の表面２Ａの広範囲に水を拡散させることができ、その冷却効果を高めることができ、また、太陽光パネル２の表面２Ａの積雪を切るように溶かすことができ、その融雪効果を高めることができる。
【００４４】
ここで、上記した散水パイプ３の噴射ノズル３Ａは、水を扇状に拡散させるものであったが、かかる散水パイプ３の噴射ノズルの噴射形式は、必ずしもこれに限定されるものではなく、散水孔から水を霧状に噴霧するものであっても良い。このように噴霧方式の噴射ノズルを介して水を霧状に散水することにより、太陽光パネル２の表面２Ａへ到達するまでの空気中で生じる外気との熱交換による水の冷却作用を高めることができ、かかる冷却作用により冷やされた水を用いて太陽光パネル２をより効果的に冷却できるのである。
【００４５】
特に、本実施例のパネル散水システム１によれば、水中ポンプ１４は、単に散水パイプ３まで水を供給するのみならず、以下に説明するように集水樋６から水を吸入するエジェクタ５の駆動源ともなるため、散水パイプ３への水の供給圧力が高く設定される結果、自ずと散水パイプ３に対して高い水圧で水を供給でき、噴霧方式を用いた噴射ノズルを用いた水の噴霧に適した環境を確保できるのである。
【００４６】
図１及び図２に示すように、集水樋６は、太陽光パネル２の表面２Ａを流下してくる水（雨水や融雪水を含む。）を受容して回収するため、太陽光パネル２の傾斜方向下端部に配設されている。また、この集水樋６は、太陽光パネル２の幅方向に連続形成されている。そして、この集水樋６とは別個に、建物７０の屋根７１の軒には、かかる軒に沿って連続した軒樋７も設置されている。
【００４７】
集水樋６の底部には、水抜き用の小孔であるドレン孔６Ａが穿設されている。このドレン孔６Ａは、集水樋６内に水が残存して凍結することを防止するための水抜き孔であり、このドレン孔６Ａからの排水量がエジェクタ５により集水樋６から吸入される水量に比べて極めて小さいものとなるように形成されている。ドレン孔６Ａからの排水量が多くなって集水樋６からエジェクタ５へ吸入される水が不足することを防止するためである。なお、かかるドレン孔６Ａは、集水樋６内に残留する水が凍結する虞のない時期、例えば、夏季にあっては栓を用いて塞ぐようにしても良い。
【００４８】
軒樋７は、本来、屋根７１や太陽光パネル２に沿って流下した雨水を回収するものであるが、本実施例では、散水運転時に集水樋６により回収された水が当該集水樋６からオーバーフローしたときに、そのオーバーフロー水（余剰水）を再度回収する機能も担っている。このため、散水運転時又は降雨時（降雪時を含む。）には、集水樋６からのオーバーフロー水を軒樋７により回収して、縦樋８及び雨水コレクタ９を通じて地下タンク１０へと戻すことができる。
【００４９】
また、集水樋６の上部及び軒樋７の上部には水を流入させる開口がそれぞれ形成されており、これらの開口には、多数の細孔を有する板状又は網状に形成された通水性を有するゴミ取りフィルタ１１がそれぞれ覆設されている。ゴミ取りフィルタ１１は、その細孔を通じて水が集水樋６内又は軒樋７内へ流入するとともに、その細孔より大きなゴミが集水樋６内又は軒樋７内へ侵入することを防止している。
【００５０】
エジェクタ５は、太陽光パネル２の表面２Ａに散水され集水樋６により回収された水を、散水パイプ３へ還流させることで水の循環流路１２を形成するために用いられる装置である。ここで、循環流路１２は、屋根７１上で散水された水を回収して散水用の水として再利用するために水を循環させる回路であり、屋根７１上に設けられるエジェクタ５、送水管４、散水パイプ３、太陽光パネル２の表面２Ａ及び集水樋６により構成されている。
【００５１】
このエジェクタ５は、散水パイプ３と集水樋６とを連結する送水管４の途中に設けられており、主に、駆動水管１３を介して地下タンク１０内にある水中ポンプ１４の吐出口と連結される駆動水口５Ａと、送水管４の吐出管部４ｂを介して散水パイプ３の基端部に連結される吐出口５Ｂと、送水管４の吸入管部４ａを介して集水樋６に連結される吸入口５Ｃとを備えている。
【００５２】
図３は、エジェクタ５の内部構造を示した概略図である。図３に示すように、エジェクタ５は、その内部に駆動水口５Ａと連通して水流方向に断面積が漸減する先細状のノズル室５１を備えており、このノズル室５１の先端にはノズル口５１Ａが開口形成されている。このノズル室５１は、駆動水口５Ａへ圧入される水の流速を上昇させる一方で水圧を低下させて、ノズル口５１Ａからディフューザ室５２へ向けて射出するものである。また、このノズル口５１Ａの先には、ディフューザ室５２が設けられている。
【００５３】
ディフューザ室５２は、ノズル口５１Ａから射出される水流方向に向けて断面積が漸増する部分を少なくとも一部に有している。このディフューザ室５２の入口とノズル室５１のノズル口５１Ａとの間には、かかる両者と連通した接続空間５３が設けられており、この接続空間５３は吸入路５４を通じて吸入口５Ｃとも連通されている。この接続空間５３ではノズル口５１Ａから射出される駆動水の射出水流と吸入口５Ｃから吸入される水とが混合される。
【００５４】
このエジェクタ５によれば、地下タンク１０内に貯留される水は、水中ポンプ１４により駆動水管１３を通じて圧送供給され、駆動水口５Ａを通じてノズル室５１へ圧入される。ノズル室５１へ圧入された水は、ノズル室５１を通過することにより流速が上昇されるとともに圧力が低下し、ノズル口５１Ａから接続空間５３を通過するようにディフューザ室５２の入口へ向けて高速射出される。
【００５５】
すると、この高速射出された水が通過する接続空間５３の圧力が低下されて、この圧力低下により集水樋６内の貯留水が、送水管４の吸入管部４ａを通じてエジェクタ５の吸入口５Ｃへ吸入され、かかる吸入口５Ｃを経て接続空間５３へと吸い込まれる。このようにして吸い込まれた水は、接続空間５３内でノズル室５１のノズル口５１Ａからの射出水流に混合される。
【００５６】
接続空間５３内で混合された水流は、ディフューザ室５２の入口からその内部へ流入して行き、ディフューザ室５２を通過するに伴って、その速度が低下するとともに圧力が上昇されて、エジェクタ５の吐出口５Ｂ（ディフューザ室５２の出口）から送水管４の吐出管部４ｂを通じて吐出され、散水パイプ３へと圧送される。
【００５７】
図１及び図２に示すように、エジェクタ５は、建物７０の屋根７１上であって、集水樋６の配設箇所に隣接した箇所に設置されている。このエジェクタ５の設置場所は、散水パイプ３の設置場所より低所であって、集水樋６の設置場所に対して同等の又はそれより高い所とされている。好適には、エジェクタ５の吐出口５Ｂが集水樋６内の回収水の水面より高所となるように、エジェクタ５は設置される。
【００５８】
送水管４は、エジェクタ５と一緒に建物７０の屋根７１上に設置されており、その送水管４の吐出管部４ｂは、建物７０の屋根７１の傾斜面に沿って屋根７１の棟方向に直交する方向へ直線状に延ばされている（図２参照。）。
【００５９】
なお、本実施形態では、エジェクタ５を建物７０の屋根７１上に設置するものとしたが、かかるエジェクタ５の設置場所は必ずしもこれに限定されるものではなく、例えば、地下タンク１０より高所でかつ散水パイプ３より低所であってエジェクタ５の吐出口５Ｂが集水樋６内の回収水位と同等又はそれより高所となるのであれば、建物７０の外壁面やバルコニー等の建物７０の付属物であっても良い。
【００６０】
このように、エジェクタ５及び送水管４を介して集水樋６により回収された水を循環させることにより、地下タンク１０からの水中ポンプ１４による揚水量（吐出量）を１／２〜１／３程度まで低減でき、その分、水中ポンプ１４を小型化することもできる。
【００６１】
また、このようにして水中ポンプ１４の吐出量が少くなる結果、水中ポンプ１４からエジェクタ５へ駆動水を供給する駆動水管１３の管径を小径化できるので、建物７０の外壁面に大径の駆動水管１３を配管する必要がなく、建物７０の美観が損なわれることを防止できる。
【００６２】
図１に示すように、地下タンク１０は、主として雨水を貯留する貯水用の大容量容器であり、建物７０に隣接した地中に埋設されている。地下タンク１０の内底面には段差が設けられており、この段差の上段側の内底面に水中ポンプ１４が設置されている。また、地下タンク１０内には、貯留水の水位を検出して水道水を出し入れするボールタップ１５が設置されている。
【００６３】
この地下タンク１０の底部には、その上段部１０Ａから下段部１０Ｂへと向けて下降した斜面が設けられている。地下タンク１０の底部は、この斜面により地下タンク１０内の堆積物が、上段部１０Ａから下段部１０Ｂへと落ち込み易く、結果、上段部１０Ａに設置される水中ポンプ１４の吸込口へ流入され難い構造となっている。
【００６４】
なお、地下タンク１０内には、貯留水が凍結することを防止するための加熱ヒータ（図示せず。）を設置するようにしても良く、特に、かかる加熱ヒータは寒冷地において必要であると考えられる。もっとも、凍結防止用の加熱ヒータの発熱量は過度に大きくある必要はなく、例えば、地下タンク１０内の貯留水を約１０℃程度にまで加温できるものであれば良い。また、融雪効果をより一層高めるため、地下タンク１０内の貯留水をボイラーにより加熱して温水化するようにしても良い。
【００６５】
水中ポンプ１４は、駆動水をエジェクタ５へ圧送する水中設置型の流体輸送機械であり、地下タンク１０内の貯留水中に沈設されている。この水中ポンプ１４は、その吐出口に駆動水管１３の下端（他端）が連結されており、地下タンク１０内の貯留水を駆動水として駆動水管１３を通じてエジェクタ５の駆動水口５Ａへ圧送する。
【００６６】
この水中ポンプ１４の揚水量は、散水した水の蒸発気化分、融雪水分その他の集水樋６による未回収分を除けば、集水樋６からのオーバーフロー水の量に概ね等しくなる。しかも、散水した水の多くが循環流路１２により循環されることで水中ポンプ１４の吐出量を少量化できるので、その分、集水樋６からオーバーフローして地下タンク１０に送り返される水量を抑制できる。
【００６７】
そして、このように集水樋６から地下タンク１０に送り返される水量が抑制されることで、冷却運転時にあっては地下タンク１０の貯留水の温度上昇を抑制でき、結果、散水による冷却効果の低下を防止できる。さらに、融雪運転時にあっては地下タンク１０の貯留水の温度低下を抑制できるので、散水による雪の融解効果の低下を防止できる。
【００６８】
ボールタップ１５は、貯留水の水位変動に応じて貯留水から浮力を受けて昇降動作する浮球１５Ａを備えており、浮球１５Ａの昇降動作に応じて水道管１６の給水口を開閉する止水栓を内蔵した本体部１５Ｂとを備えている。このボールタップ１５によれば、浮球１５Ａが下降すると止水栓により水道管１６の給水口が開かれて水道水が地下タンク１０内へ注入される一方、浮球１５Ａが上昇すると止水栓により水道管１６の給水口が閉じられて水道水の注水が停止される。
【００６９】
これにより、例えば、降雨量が少ない渇水時等の非常時に、地下タンク１０内の貯留水が減少して散水パイプ３により散水される水量が不足することがあっても、太陽光パネル２への散水に必要な水量を水道管１６から地下タンク１０内へ応急処置的に補給することができる。
【００７０】
排水口１７は、地下タンク１０の上部側面であってボールタップ１５より上側に設けられている。この排水口１７には排水管１８の始端が連結されている。また、この排水管１８はその終端が側溝１９に連通されており、地下タンク１０の排水口１７から側溝１９まで一定の傾きをもって下降傾斜された状態で地中に埋設されている。そして、この排水管１８の途中には、地中に埋設された雨水浸透升２０が設けられている。
【００７１】
縦樋８は、軒樋７により回収された水を、地下タンク１０又は雨水浸透升２０へ排出するものであり、この縦樋８の上端と軒樋７の底部とが連結されている。この縦樋８は、軒樋７から垂設されており、その下端が真下にある雨水浸透升２０に連結されている。
【００７２】
雨水コレクタ９（雨水分流器）は、この雨水浸透升２０に連結される縦樋８の途中に設けられており、その筒状本体９Ａに雨水流入口９Ｂと、雨水回収口９Ｃと、残水排出口９Ｄとを備えている。雨水コレクタ９の雨水流入口９Ｂは縦樋８を介して軒樋７と連結されており、雨水コレクタ９の残水排水口９Ｄは縦樋８を介して雨水浸透升２０と連結されている。
【００７３】
この雨水コレクタ９は、その筒状本体９Ａの内周壁とその内底面から立設される筒状壁部９Ｅとの間に環状溝部９Ｆが設けられ、この環状溝部９Ｆに雨水回収口９Ｃが連通されている。この雨水回収口９Ｃには雨水回収管２１の上端が連結されており、この雨水回収管２１の下端は地下タンク１０に連結されている。また、雨水コレクタ９の筒状壁部９Ｅの内周は残水排出口９Ｄとされている。
【００７４】
また、雨水コレクタ９の筒状本体９Ａ内には多数の細孔を有した通水性のある擂鉢状の内部フィルタ９Ｇが配設されている。この内部フィルタ９Ｇは、雨水流入口９Ｂから環状溝部９Ｆを経て雨水回収口９Ｃへ放出される水から不要物を分離するものである。
【００７５】
この内部フィルタ９Ｇは、その上端部全周が筒状本体９Ａの内壁面全周に当着され、かつ、その下端部全周が筒状壁部９Ｅの上端部全周に当着されており、雨水流入口９Ｂと残水排出口９Ｄとを繋ぐ空間と環状溝部９Ｆ及びその上方にある空間とを仕切っている。
【００７６】
この雨水コレクタ９によれば、通常の雨量の場合又は散水運転時の場合、縦樋８を流下して雨水流入口９Ｂから流入した水は、その大半が筒状本体９Ａの内壁面を伝って内部フィルタ９Ｇを通過して環状溝部９Ｆへ流れ込み、雨水回収口９Ｃから雨水回収管２１を通じて地下タンク１０へ放出されて回収される。
【００７７】
このとき、水に混入したゴミなどの不純物は、内部フィルタ９Ｇにより環状溝部９Ｆへ浸入が阻止されて、内部フィルタ９Ｇの擂鉢面を落下して残水排出口９Ｄから一部の水とともに縦樋８を通じて雨水浸透升２０へと排出される。
【００７８】
一方、大量の雨水が縦樋８を流下するときは、雨水が縦樋８内を落下するように流下する。このため、雨水コレクタ９の雨水流入口９Ｂから流入した水は、その殆どが雨水コレクタ９の内部フィルタ９Ｇを通じて環状溝部９Ｆへ流入することなく、残水排出口９Ｄから雨水浸透升２０へと排出されるので、過剰な雨水が地下タンク１０へ流入することが防止される。
【００７９】
雨水浸透升２０は、地下タンク１０からオーバーフローした貯留水が排水管１８を通じて排出されるものであり、ここに排水された水はこの雨水浸透升２０の底部から地中へ浸透拡散することにより排水される。また、この雨水浸透升２０の排水量を超える水が地下タンク１０又は縦樋８から流入する場合は、この雨水浸透升２０からオーバーフローした水が排水管１８を通じて側溝１９へ排出される。
【００８０】
切替バルブ２２は、駆動水管１３の途中であって地下タンク１０外の地上部分に設けられており、水中ポンプ１４から圧送される水の供給先をエジェクタ５側又は緊急用浄水器２３側の何れか一方から他方へと切り替える切替弁である。なお、通常、切替バルブ２２は、水中ポンプ１４の吐出口をエジェクタ５の駆動水口５Ａに接続しており、地下タンク１０から駆動水管１３を通じて駆動水がエジェクタ５へ供給されるようになっている。
【００８１】
緊急用浄水器２３は、切替バルブ２２を介して、駆動水管１３を流れる水を取り込んで地下タンク１０の貯留水を浄水する設備であり、例えば、災害などの緊急時に飲料水等を確保するためのものである。この緊急用浄水器２３と切替バルブ２２との配管の途中にはＹ型ストレーナ２４が介設されており、切替バルブ２２を介して駆動水管１３を通じて地下タンク１０から供給される水はＹ型ストレーナ２４によりろ過されて緊急用浄水器２３へ供給される。
【００８２】
この緊急用浄水器２３によれば、地下タンク１０から供給された水は、セグメントフィルタ２３Ａ、カーボンフィルタ２３Ｂ及び逆浸透膜フィルタ２３Ｃの順に通過することにより浄化され、給水バルブ２３Ｄにより水量が調節されて給水口２３Ｅから放出される。また、逆浸透膜フィルタ２３Ｃは、排水用ドレンパイプ２３Ｆを介して地下タンク１０とも連結されている。
【００８３】
図４は、パネル散水システム１の電気的構成を示したブロック図である。図４に示すように、パネル散水システム１は、主に、このパネル散水システム１の運転操作に用いられる操作パネル３１と、太陽光パネル２の表面温度を検出する温度センサ３２と、上記した地下タンク１０内に設置される水中ポンプ１４の駆動回路（以下「ポンプ駆動回路」という。）３３と、これら各デバイスを用いてパネル散水システム１の運転を制御する制御装置４０とを備えている。
【００８４】
制御装置４０は、演算装置であるＣＰＵ４１と、パネル散水システム１の制御プログラム４２ａが記憶されたＲＯＭ４２と、ワークメモリとして機能するＲＡＭ４３と、散水開始時からの経過時間（以下「散水時間」という。）を計測するタイマー回路４４と、入出力回路４５とを備えている。ＣＰＵ４１、ＲＯＭ４２、ＲＡＭ４３及びタイマー回路４４は、バスライン４６を介して入出力回路４５と接続されており、この入出力回路４５は、操作パネル３１、温度センサ３２及びポンプ駆動回路３３とも接続されている。
【００８５】
また、この制御装置４０のＣＰＵ４１は、制御プログラム４２ａをＲＯＭ４２から読み出してＲＡＭ４３上で実行する。この制御プログラム４２ａの実行によって、上記のように構成されたパネル散水システム１は、太陽光パネル２を冷却する散水運転（以下「冷却運転」という。）、又は、太陽光パネル２の表面２Ａの雪を融雪する散水運転（以下「融雪運転」という）の各処理を実行するように構成されている。
【００８６】
また、この制御装置４０は、温度センサ３２による検出温度が所定温度（例えば５０℃又は６０℃）以上となった場合、又は、操作パネル３１により散水運転の開始を指令する操作が行われた場合に、水中ポンプ１４の駆動指令をポンプ駆動回路３３へ出力し、これにより水中ポンプ１４の駆動を開始させる。一方、制御装置４０は、当該水中ポンプ１４の駆動開始時、即ち、当該水中ポンプ１４の駆動指令の出力開始時からタイマー回路４４による時間計測を開始する。
【００８７】
なお、太陽光パネル２の温度が所定温度以上となった場合に行われる散水運転は、冷却運転であり、操作パネル３１の操作により開始される散水運転は、冷却運転又は融雪運転の何れであっても良い。
【００８８】
このようにして散水運転が開始されると、地下タンク１０の貯留水（駆動水）が、水中ポンプ１４により吸入され、駆動水管１３を通じてエジェクタ５の駆動水口５Ａへと圧送される。エジェクタ５では、その駆動水口５Ａへ圧入された水がノズル室５１のノズル口５１Ａから接続空間５３を介してディフューザ室５２の入口へ高速射出され、かかるノズル口５１Ａからの射出による流速上昇により接続空間５３が圧力低下する。
【００８９】
このとき、集水樋６内に水が貯留していれば、集水樋６内の水は、送水管４の吸入管部４ａを通じてエジェクタ５の吸入口５Ｃへ吸入されて、接続空間５３でノズル口５１Ａからの射出水流に混合される。そして、混合された高速の水流は、ディフューザ室５２を通過することにより減速されつつ圧力が増加されて、エジェクタ５の吐出口５Ｂから吐出される。このエジェクタ５からの吐出水は、送水管４の吐出管部４ｂを通じて散水パイプ３へ圧送され、複数の噴射ノズル３Ａから太陽光パネル２の表面２Ａに散水される。
【００９０】
このように複数の噴射ノズル３Ａから水が散水された場合、この水は、空気中を通過して太陽光パネル２の表面２Ａに到達するまでの間、外気との間で熱交換を行う。例えば、散水される水の温度が外気温に比べて高い場合には、噴射ノズル３Ａから噴射された水が外気により冷却されて太陽光パネル２の冷却効果が高められる一方、散水される水の温度が外気温に比べて低い場合には、噴射ノズル３Ａから噴射された水が外気により温められる融雪効果が高められる。
【００９１】
この太陽光パネル２の表面２Ａに散水された水は、太陽光パネル２の傾斜方向上端部から下端部へ向けて流下して、ゴミ取りフィルタ１１の細孔を通じて集水樋６へと流れ込み、集水樋６により回収される。集水樋６に回収された水は、再び、エジェクタ５及び送水管４を介して散水パイプ３へ送水される。これにより、太陽光パネル２の表面２Ａに散水された水が集水樋６により回収されて散水パイプ３へ還流されるという水の循環流路１２が形成される。
【００９２】
このような太陽光パネル２への散水運転は、その散水開始時から所定の設定散水時間が経過するまで継続され、タイマー回路４４による計測時間が所定の設定散水時間以上となると、ポンプ駆動回路３３への駆動指令の出力が停止されて、水中ポンプ１４の駆動が停止される。一方、タイマー回路４４による計測時間が所定の設定散水時間未満の場合でも、温度センサ３２による検出温度が設定温度以下となった場合には、ポンプ駆動回路３３への駆動指令の出力が停止されて、水中ポンプ１４の駆動が停止される。
【００９３】
なお、設定散水時間は、例えば、１種類に限定されるものではなく、２種類以上の値をＲＯＭ４２に予め記憶しておき、操作パネル３１の操作により所望の設定散水時間を適宜選択するように構成されていても良い。
【００９４】
ところで、水中ポンプ１４による揚水量は、冷却運転又は融雪運転のいずれの散水運転の場合でも、原則的に、その運転開始から終了まで常時一定とされている。なお、冷却運転の場合と融雪運転の場合とでは、必ずしも水中ポンプ１４の揚水量を同じにする必要はなく、冷却運転時の水中ポンプ１４の揚水量を、融雪運転時の水中ポンプ１４の揚水量に比べて多く又は少なくしても良い。
【００９５】
また、冷却運転又は融雪運転のいずれの散水運転についても、その運転開始時に集水樋６内に循環用の水が貯留されていない場合には、エジェクタ５の吸入口５Ｃから送水管４の吸入管部４ａを通じて外気が吸入されることとなる。このため、運転開始時においてエジェクタ５から散水パイプ３へ供給される送水量は、集水樋６から回収循環される水量分だけ減少することとなる。
【００９６】
＜冷却運転について＞
ここで、パネル散水システム１による冷却運転時において、太陽光パネル２は、その表面２Ａに散水される続ける水の気化熱により冷却されて温度低下する。一方、太陽光パネル２の表面２Ａに散水された水は、太陽光パネル２の熱により温められて温度上昇し、かかる太陽光パネル２の傾斜に沿ってその表面２Ａを上端側から下端側へ向けて流動する流水となる。
【００９７】
もっとも、この太陽光パネル２の表面２Ａを流動する流水は、外気より高温である場合に当該外気により空冷されるので、かかる流水の熱量が外気中に放熱されて、その温度上昇が抑制される。
【００９８】
また、太陽光パネル２の表面２Ａに散布された水は、太陽光パネル２の表面２Ａ上の一箇所に留まることなく、太陽光パネル２の傾斜方向に流下する。つまり、太陽光パネル２を冷却する水は、散水後一箇所に留まり続けて太陽光パネル２から吸熱するのではなく、太陽光パネル２の表面２Ａ（斜面）を流れ落ちる短い時間の間に太陽光パネル２から吸熱して速やかに集水樋６に回収されるので、太陽光パネル２からの吸熱により過剰に水温上昇することもない。
【００９９】
しかも、太陽光パネル２の表面温度が高温の場合、散水された水は、太陽光パネル２との接触により気化熱を吸収して蒸発し、集水樋６に回収されずに外気中に散逸するので、このような高温の水が集水樋６により大量に回収循環されることもない。
【０１００】
このため、太陽光パネル２の表面２Ａを伝って流れ落ちた水を、集水部材により回収してエジェクタ５及び送水管４により散水パイプ３へ送水して繰り返し再利用するという、水の循環流路１２を用いたとしても、太陽光パネル２に対する十分な冷却能力を発揮できる。
【０１０１】
また、散水後回収された水は、太陽光パネル２からの吸熱により多少水温上昇したとしても、エジェクタ５内で地下タンク１０から供給される駆動水と混合されることで冷却される。地下タンク１０の埋設される地中は、外気温や日照量などの各種の気象条件にも影響されるが、太陽光パネル２の冷却が必要となる時期、特に、夏季において太陽光パネル２の温度に比べて低温であるため、地下タンク１０の貯留水である駆動水も、太陽光パネル２から吸熱して水温上昇した水に比べて低温となるからである。
【０１０２】
しかも、散水後回収された水が、エジェクタ５及び送水管４を介した循環流路１２により循環され続けることで、太陽光パネル２の温度が低下して行けば、散水パイプ３から散水される水と太陽光パネル２の表面２Ａとの温度差（温度勾配）も徐々に小さくなって行くので、結果、散水後回収される水の水温上昇に伴う冷却能力の低下が抑制される。
【０１０３】
また、集水樋６からオーバーフローした水は、屋根７１上を流下して軒樋７へ向けて流れ、ゴミ取りフィルタ１１の細孔を通過して軒樋７内へ流入して回収される。軒樋７により回収された水は、縦樋８を通じて雨水コレクタ９へと流入し、雨水コレクタ９により分流されて、雨水回収管２１を通じて地下タンク１０へ又は縦樋８を通じて雨水浸透升２０へ放出される。
【０１０４】
ここで、一般的に、太陽光パネル２の冷却が必要な状況といえば、日照時を含めた非降雨時を意味するので、大量の雨水が縦樋８を通過する状況にはない。しかも、集水樋６により回収された水は、その大半が散水用に循環されるので、集水樋６からオーバーフローする水は概ね水中ポンプ１４による揚水量に相当するか、又は、気化蒸発分を加味すれば、水中ポンプ１４による揚水量未満である。
【０１０５】
このため、縦樋８を通過する水は、その大部分が雨水コレクタ９の内部フィルタ９Ｇを通過して雨水回収管２１を通じて地下タンク１０へ放出される。これにより、エジェクタ５の駆動水となる地下タンク１０の貯留水を回収することもでき、水道水の使用量を最小限に抑制した上で、パネル散水システム１の散水運転を継続できるのである。
【０１０６】
しかも、地下タンク１０へ送り返される水は、集水樋６からのオーバーフロー水に限られるので、太陽光パネル２からの吸熱により温度上昇した水が大量に地下タンク１０へ流入することを防止でき、その結果、駆動水が温度上昇に伴う散水運転の冷却能力低下を抑制できる。
【０１０７】
＜融雪運転について＞
これに対し、パネル散水システム１による融雪運転においては、太陽光パネル２の表面２Ａにある積雪は、太陽光パネル２の表面２Ａに散水され続ける水の融解熱により融解されて水（融雪水）となる。このとき、散水パイプ３の各噴射ノズル３Ａからの散水は、積雪の表層部分を融解して融雪水に変化させて、この融雪水は、散水パイプ３から散水された水と入り交じって、その周囲の雪を更に融解しつつ、太陽光パネル２の表面２Ａまで流下して行く。
【０１０８】
そして、太陽光パネル２表面２Ａに到達した水は、更に、太陽光パネル２の表面２Ａを伝って、その太陽光パネル２の上端部から下端部へ向けて当該太陽光パネル２の傾斜に沿って流下して行く。このとき、太陽光パネル２の表面２Ａを流動する水は、その流動に伴って太陽光パネル２の表面２Ａ近傍にある雪を更に融解しつつ増量して行き、太陽光パネル２の傾斜方向最下端まで到達するとゴミ取りフィルタ１１の細孔を通過して集水樋６へ流入して回収される。
【０１０９】
このようにして、融雪水は、散水により融解された後、積雪内を流下した後に一箇所に留まるのではなく、太陽光パネル２の傾斜に沿って流下しながら、その流下方向の下流側にある太陽光パネル２の表面２Ａ近傍の積雪を次々と融解して行くので、単なる平地に散水する場合に比べて、太陽光パネル２の融雪効果を高めることができる。
【０１１０】
このようにパネル散水システム１による融雪は、単に散水パイプ３から散水してその融解熱により積雪を融解するだけではなく、更に、散水された水及び融雪水が太陽光パネル２の表面２Ａの傾斜に沿って流下して速やかに集水樋６に回収されることで、その融雪作用が促進されている。つまり、太陽光パネル２上で水が一所に滞留せずに流動することにより、融雪作用が促進される。
【０１１１】
例えば、平地の積雪場所に散水された水は同じ場所に滞留するため、その分、散水された水の温度低下が促される結果、散水された水が有する熱量の減少を招き、時間経過と共に融雪効果が低下してしまう。このため、不足する融雪能力を補うべき、次々に新たな散水を供給し続けねばならず、結果、地下水や水道水の大量消費を招来してしまう。
【０１１２】
これに対し、本実施形態のパネル散水システム１では、散水された水が太陽光パネル２の傾斜に沿って流下されるので、太陽光パネル２の上に水が残存し続けずに集水樋６により速やかに回収されるので、散水された水が過度に温度低下することが抑制される。また、集水樋６により回収される水の温度低下が抑制されることにより、かかる集水樋６による回収水をエジェクタ５により吸入して循環させる場合に、散水パイプ３から散水される水が保有する熱量の低下が抑制される。
【０１１３】
また、散水及び融雪後に集水樋６により回収された水は、融雪により多少温度低下したとしても、地下タンク１０の貯留水が駆動水として供給されて混合されることにより昇温される。地下タンク１０の埋設される地中は、外気温や日照量などの各種の気象条件にも影響されるが、太陽光パネル２上の融雪が必要となる時期、特に、冬季において雪（氷）の融点に比べて高温であるため、地下タンク１０の貯留水である駆動水が、融雪により放熱して温度低下した水に比べて高温となるからである。
【０１１４】
そして、散水後回収された水をエジェクタ５を介して循環し続けることにより、太陽光パネル２の上の積雪が減少して行けば、太陽光パネル２自体が太陽光を受けて吸熱して温度上昇するので、その温度上昇により散水された水も昇温されて、融雪に伴う温度低下を抑制することができる。しかも、太陽光パネル２自体の温度上昇により、その上の積雪に対して融解熱を供給して、その融雪を促進することもできる。
【０１１５】
また、融雪水を含んだ散水が集水樋６により回収される場合、集水樋６の容量を超過してオーバーフローした水は、屋根７１上を流下して軒樋７により回収される。軒樋７により回収された水は、縦樋８を通じて雨水コレクタ９へと流入し、雨水コレクタ９により分流されて、雨水回収管２１を通じて地下タンク１０へ又は縦樋８を通じて雨水浸透升２０へ放出される。
【０１１６】
ここで、一般的に、太陽光パネル２による融雪が必要な状況といえば、雨水が融雪を促す降雨時ではなく、太陽光パネル２が運転可能な日照時を含めた非降雨時を意味するので、大量の雨水が縦樋８を通過する状況にはない。このため、縦樋８を通過する融雪水を含んだ散水は、その大部分が雨水コレクタ９の内部フィルタ９Ｇを通過して雨水回収管２１を通じて地下タンク１０へ放出される。
【０１１７】
このとき、地下タンク１０へ送り返される水は、集水樋６からのオーバーフロー水に限られるので、融雪に伴う放熱により温度低下した水が大量に地下タンク１０へ流入することを防止でき、その結果、駆動水の温度低下に伴う散水運転の融雪能力低下を抑制できる。しかも、融雪水が多く、地下タンク１０の容量を超過する場合には、排水口１７から排水管１８を通じて雨水浸透升２０へ排水することができる。
【０１１８】
以上、実施例に基づき本発明を説明したが、本発明は上記実施例に何ら限定されるものではなく、本発明の趣旨を逸脱しない範囲内で種々の改良変形が可能であることは容易に推察できるものである。例えば、本実施形態では、地下埋設型の地下タンク１０を貯水槽として説明したが、かかる貯水槽の実施例は必ずしもこれに限定されるものではなく、地上設置型の貯水施設であっても良い。
【０１１９】
また、本実施形態では、太陽光パネル２の表面２Ａの傾斜を屋根７１の勾配と同等又はそれ以上にすると説明したが、散水後の水を流下させることができれば、太陽光パネル２の表面２Ａの傾斜を屋根７１の勾配より小さくしても良い。
【０１２０】
また、本実施形態では、本発明に係る集水部材として軒樋とは別に集水樋を設けたが、集水樋に代えて軒樋を集水部材として兼用するようにしても良い。かかる場合は、軒樋からの余剰水を受容して回収する樋状部材を軒樋の下方に設けて、これを第２集水部材として機能させても良く、又は、軒樋を大容量化して第２集水部材を不要にしても良い。
【０１２１】
また、本実施例では、本発明に係る水源として地下タンク１０を用いて説明したが、かかる水源の具体例は必ずしもこれに限定されるものではなく、例えば、上水道や地下水源を用いた水道設備であっても良い。
【符号の説明】
【０１２２】
１                    パネル散水システム（パネル型機器用散水システム）
２                    太陽光発電パネル（パネル型機器）
２Ａ                  表面（パネル面）
３                    散水パイプ
３Ａ                  噴射ノズル
４                    送水管
４ａ                  吸入管部（吸入部の一部）
４ｂ                  吐出管部（水源から散水パイプへ水を供給する流路の一部）
５                    エジェクタ（循環流生成器）
５Ａ                  駆動水口（増速部の一部）
５Ｂ                  吐出口（吐出部の一部）
５Ｃ                  吸入口（吸入部の一部）
６                    集水樋（集水部材）
７                    軒樋（軒樋、第２集水部材の一部、返水流路の一部）
８                    縦樋（縦樋、水回収路の一部、返水流路の一部）
９                    雨水コレクタ（水回収路の一部、返水流路の一部）
１０                  地下タンク（水源の一例）
１２                  循環流路
１３                  駆動水管（水源から散水パイプへ水を供給する流路の一部）
１４                  水中ポンプ（圧送装置）
２１                  雨水回収管（水回収路の一部、返水流路の一部）
５１                  ノズル室（増速部の一部）
５２                  ディフューザ室（吐出部の一部）
５３                  接続空間（混合部の一部）
５４                  吸入路（吸入部の一部）
７０                  建物
７１                  屋根
【図１】
2011214362.tif 000003
【図２】
2011214362.tif 000004
【図３】
2011214362.tif 000005
【図４】
2011214362.tif 000006